【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
ディスプレイおよびユーザインターフェース選択デバイスを含むデバイス上でナビゲートするための方法において、
前記デバイス内の現在のチャネルを識別するステップであって、そこでは、各チャネルは、無線通信でコンテンツを受信するように構成され、前記コンテンツは前記チャネルに関連付けられて記憶されるステップと、
第１のセレクタに応答して、前記現在のチャネルを別のチャネルに変更するステップと、
第２のセレクタに応答して、前記現在のチャネルをホームチャネルに変更するステップと、
前記ユーザインターフェース選択デバイスからの複数のセレクタを、前記現在のチャネルに関連付けられている機能にマップして、前記セレクタが、現在選択されているチャネルに関してコンテキスト依存（ｃｏｎｔｅｘｔ  ｓｅｎｓｉｔｉｖｅ）であるようにするステップと
を備えることを特徴とするナビゲートするための方法。
【請求項２】
前記第１および第２のセレクタは、別々の物理的セレクタ手段に対応することを特徴とする請求項１に記載のナビゲートするための方法。
【請求項３】
前記第１のセレクタおよび前記第２のセレクタは単一の物理的セレクタ手段に対応し、前記物理的セレクタ手段が第１の所定の時間間隔に渡ってアクティブである場合、前記第１のセレクタが起動され、前記物理的セレクタ手段が第２の所定の時間間隔に渡ってアクティブである場合、前記第２のセレクタが起動されることを特徴とする請求項１に記載のナビゲートするための方法。
【請求項４】
ディスプレイおよびユーザインターフェース選択デバイスを含むデバイス上でナビゲートするための方法において、
前記デバイス内の現在のチャネルを識別するステップであって、そこでは、各チャネルは、無線通信でコンテンツを受信するように構成され、前記コンテンツは前記チャネルに関連付けられて記憶されるステップと、
前記デバイスが第１の動作状態である場合、前記ユーザインターフェース選択デバイスからの複数のセレクタを、チャネル変更機能にマップするステップと、
前記デバイスが前記第１の動作状態であり、追加のチャネルが使用可能である場合、前記複数のセレクタの第１のセレクタに応答して、前記現在のチャネルを前のチャネルに変更するステップと、
前記デバイスが前記第１の動作状態であり、追加のチャネルが使用可能である場合、前記複数のセレクタの第２のセレクタに応答して、前記現在のチャネルを次のチャネルに変更するステップと、
前記デバイスが前記第１の動作状態である場合、所定の時間間隔の満了、および前記複数のセレクタの第４のセレクタの起動のうち少なくとも１つに応答して、第２の動作状態を起動するステップと、
前記第２の動作状態がアクティブである場合、前記現在のチャネルに関連付けられたコンテンツを示すように前記ディスプレイを更新するステップと
を備えることを特徴とするナビゲートするための方法。
【請求項５】
前記デバイスが前記第１の動作状態であり、追加のチャネルが使用可能である場合、前記複数のセレクタの第３のセレクタに応答して、前記現在のチャネルを次のチャネルに変更するステップをさらに備えることを特徴とする請求項４に記載のナビゲートするための方法。
【請求項６】
前記第１の動作状態がアクティブである場合、前記現在のチャネル選択を示すように前記ディスプレイを更新するステップをさらに備えることを特徴とする請求項４に記載のナビゲートするための方法。
【請求項７】
前記現在のチャネルが前記第１の動作状態において変更された場合、可聴インジケータを提供するサウンドを起動するステップをさらに備え、各可聴インジケータに関連付けられた前記サウンドは、各チャネルについて同じ、各チャネルについて一意、および各チャネルタイプについて一意のうち少なくとも１つであることを特徴とする請求項４に記載のナビゲートするための方法。
【請求項８】
各格納されたコンテンツは、前記デバイス上に格納される通信の少なくとも一部に対応し、各通信に関連付けられた前記コンテンツが通信チャネルに従って編成されることを特徴とする請求項４に記載のナビゲートするための方法。
【請求項９】
第３のセレクタが所定の時間間隔に渡って起動された場合、前記第１の動作状態を起動するステップ、および、前記現在のチャネルをホームチャネルに変更するステップをさらに備えることを特徴とする請求項４に記載のナビゲートするための方法。
【請求項１０】
前記デバイスが前記第２の動作状態である場合、前記現在のチャネルに関連付けられている現在のビューを選択するステップと、
前記デバイスが前記第２の動作状態である場合、前記ユーザインターフェース選択デバイスからの複数のセレクタを、前記現在のビューに関連付けられているコンテキスト特有の機能にマップするステップと、
前記デバイスが前記第２の動作状態である場合、前記現在のビューに関連付けられているコンテンツを示すように前記ディスプレイを更新するステップと
をさらに備えることを特徴とする請求項４に記載のナビゲートするための方法。
【請求項１１】
前記第２の動作状態を起動するステップは、前記現在のチャネルのためのデフォルトモードおよびデフォルトビューを選択するステップを含むことを特徴とする請求項１０に記載のナビゲートするための方法。
【請求項１２】
前記デバイスが前記第２の動作状態である場合、少なくとも１つのセレクタに応答して、前記コンテキスト特有の機能を起動するステップをさらに備え、前記指定された機能が、前記現在のビュー、および、前記現在のビューに関連付けられている現在のモードのうち少なくとも１つに関連付けられていることを特徴とする請求項１０に記載のナビゲートするための方法。
【請求項１３】
前記デバイスが前記第２の動作状態であり、追加のチャネルが使用可能である場合、前記複数のセレクタの第１のセレクタに応答して、前記現在のビューを前のビューに変更するステップと、
前記デバイスが前記第２の動作状態であり、追加のチャネルビューが使用可能である場合、前記複数のセレクタの第２のセレクタに応答して、前記現在のビューを次のビューに変更するステップと
をさらに備えることを特徴とする請求項１０に記載のナビゲートするための方法。
【請求項１４】
前記デバイスが前記第２の動作状態であり、アクションが前記現在のビューについて使用可能である場合、前記複数のセレクタの第４のセレクタの起動に応答して、アクションを実行するステップをさらに備えることを特徴とする請求項１０に記載のナビゲートするための方法。
【請求項１５】
前記デバイスが前記第２の動作状態である場合、前記セレクタの１つの拡張起動に応答して、リストブラウズ機能を起動するステップをさらに備え、前記リストブラウズ機能が、前記現在のビューからのコンテンツに関連付けられている索引を表示するように構成されることを特徴とする請求項１０に記載のナビゲートするための方法。
【請求項１６】
前記デバイスが前記第２の動作状態である場合、前記複数のセレクタの第３のセレクタの起動に応答して、第３の動作状態を起動するステップをさらに備えることを特徴とする請求項１０に記載のナビゲートするための方法。
【請求項１７】
前記デバイスが前記第３の動作状態である場合、前記現在のモードを示すように前記ディスプレイを更新するステップと、
前記デバイスが前記第３の動作状態であり、追加のモードが使用可能である場合、前記複数のセレクタの第１のセレクタに応答して、前記モードを前のモードに変更するステップと、
前記デバイスが前記第３の動作状態であり、追加のモードが使用可能である場合、前記複数のセレクタの第２のセレクタに応答して、前記モードを次のモードに変更するステップと
をさらに備えることを特徴とする請求項１６に記載のナビゲートするための方法。
【請求項１８】
前記デバイスが前記第３の動作状態である場合、所定の時間間隔の前記満了、および前記複数のセレクタの第４のセレクタの起動のうち少なくとも１つに応答して、前記第２の動作状態を起動するステップをさらに備えることを特徴とする請求項１６に記載のナビゲートするための方法。
【請求項１９】
前記デバイスが前記第３の動作状態である場合、前記複数のセレクタの第３のセレクタの起動に応答して、前記第１の動作状態を起動するステップをさらに備えることを特徴とする請求項１６に記載のナビゲートするための方法。
【請求項２０】
前記デバイスが前記第２の動作状態であり、拡張ビューが前記現在のビューについて使用可能である場合、前記複数のセレクタの第４のセレクタの起動に応答して、第４の動作状態を起動するステップをさらに備えることを特徴とする請求項１０に記載のナビゲートするための方法。
【請求項２１】
前記デバイスが前記第４の動作状態である場合、前記現在のチャネルに関連付けられている拡張ビューを選択するステップと、
前記デバイスが前記第４の動作状態である場合、前記ユーザインターフェース選択デバイスからの複数のセレクタを、前記現在の拡張ビューに関連付けられているコンテキスト特有の機能にマップするステップと、
前記デバイスが前記第４の動作状態である場合、前記現在の拡張ビューに関連付けられているコンテンツを示すように前記ディスプレイを更新するステップと
をさらに備えることを特徴とする請求項２０に記載のナビゲートするための方法。
【請求項２２】
前記デバイスが前記第４の動作状態である場合、前記複数のセレクタの第４のセレクタの起動に応答して、前記第２の動作状態を起動するステップをさらに備えることを特徴とする請求項２０に記載のナビゲートするための方法。
【請求項２３】
前記デバイスが前記第４の動作状態である場合、前記複数のセレクタの第３のセレクタの起動に応答して、第３の動作状態を起動するステップをさらに備えることを特徴とする請求項２０に記載のナビゲートするための方法。
【請求項２４】
前記デバイスが前記第４の動作状態である場合、少なくとも１つのセレクタに応答して、前記現在の拡張ビューのための前記コンテキスト特有の機能を起動するステップをさらに備え、前記コンテキスト特有の機能が前記現在の拡張ビューに関連付けられていることを特徴とする請求項２０に記載のナビゲートするための方法。
【請求項２５】
少なくとも２つのセレクタの同時の起動に応答して、拡張ナビゲーション機能を起動するステップをさらに備えることを特徴とする請求項４に記載のナビゲートするための方法。
【請求項２６】
ディスプレイと、
セレクタを含むユーザインターフェースと、
前記ユーザインターフェースおよび前記ディスプレイと対話するように構成される電子システムとを備える装置であって、前記電子システムが、
現在の動作状態を識別するステップと、
現在のチャネルを識別するステップであって、そこでは、各チャネルは、動的に更新可能なコンテンツを無線通信で受信するように構成され、前記動的に更新可能なコンテンツは前記チャネルに関連付けられて記憶されるステップと、
セレクタをコンテキスト特有の機能に、前記識別された動作状態に基づいてマップするステップと、
前記コンテキスト特有の機能が前記識別された動作状態について使用可能である場合、前記セレクタのうち少なくとも１つに応答して、前記コンテキスト特有の機能を起動するステップと、
前記現在の動作状態に関連付けられているコンテンツを表示するステップと
を行うように構成されることを特徴とする装置。
【請求項２７】
前記コンテキスト特有の機能は、第１の動作状態についてのチャネル変更機能、第２の動作状態についてのビュー変更および選択機能、第３の動作状態についてのモード変更機能、および第４の動作状態についての拡張ビュー変更機能に対応することを特徴とする請求項２６に記載の装置。
【請求項２８】
前記複数のセレクタは、セレクタボタン、ホィールタイプのデバイス、およびロッカースイッチデバイスのうち少なくとも１つを含むことを特徴とする請求項２６に記載の装置。
【請求項２９】
ディスプレイおよびユーザインターフェース選択デバイスを含むデバイス上でナビゲートするための方法において、
現在のチャネルを、使用可能なチャネルのセットから識別するステップであって、前記現在のチャネルは、動的に更新可能なコンテンツを無線通信で受信するように構成され、前記動的に更新可能なコンテンツは前記チャネルに関連付けられて記憶され、デフォルトチャネルは時間チャネルに対応するステップと、
第１および第２の動作状態のうち１つに対応する現在の動作状態を識別するステップと、
コンテキスト特有の機能を、前記ユーザインターフェース選択デバイス内のセレクタに、前記現在の動作状態に基づいてマップするステップと、
前記現在の動作状態が前記第１の動作状態に対応し、第１の条件が満たされた場合、前記第２の動作状態に入るステップであって、前記第１の条件は、タイムアウト条件が満了することおよび第４のセレクタが起動されることのうち少なくとも１つに対応するステップと、
前記現在の動作状態が前記第２の動作状態に対応し、チャネル選択機能が起動された場合、前記第１の動作状態に入るステップと、
前記現在の動作状態が前記第１の動作状態に対応し、追加のチャネルまたはモードが使用可能である場合、第１のセレクタの起動に応答して前の機能を実行するステップと、
前記現在の動作状態が前記第１の動作状態に対応し、追加のチャネルまたはモードが使用可能である場合、第２のセレクタの起動に応答して次の機能を実行するステップと、
前記現在の動作状態および現在のチャネルに関連付けられている情報を前記ディスプレイ上に表示するステップと
を備えることを特徴とするナビゲートするための方法。
【請求項３０】
前記第１の動作状態はチャネルスプラッシュに対応し、前記第２の動作状態はチャネルビューに対応することを特徴とする請求項２９に記載のナビゲートするための方法。
【請求項３１】
前記現在の動作状態が前記第２の動作状態に対応し、前記ユーザインターフェース選択デバイスの第３のセレクタが起動された場合、第３の動作状態に入るステップをさらに備えることを特徴とする請求項２９に記載のナビゲートするための方法。
【請求項３２】
前記現在の動作状態が前記第２の動作状態に対応し、第２の条件が満たされた場合、第４の動作状態に入るステップをさらに備え、前記ユーザインターフェース選択デバイスの第３のセレクタが起動され、拡張ビューが現在のビューについて使用可能である場合、前記第２の条件が満たされることを特徴とする請求項２９に記載のナビゲートするための方法。
【請求項３３】
第３のセレクタが所定の時間間隔に渡って起動された場合、ホームへナビゲートする機能を実行するステップをさらに備え、前記ホーム機能が前記デバイス上でホームチャネルに関連付けられていることを特徴とする請求項２９に記載のナビゲートするための方法。
【請求項３４】
ビュー可能情報を表示するように構成される、表示するための手段と、
セレクタを起動するように構成される、ユーザインターフェース手段と、
前記ユーザインターフェース手段および前記情報を表示するための手段と対話するように構成される処理手段であって、そこでは、
現在の動作状態を識別するように構成される、識別するための第１の手段と、
現在のチャネルを識別するように構成される、識別するための第２の手段であって、各チャネルは、コンテンツを無線通信で受信するように構成され、前記コンテンツは前記チャネルに関連付けられて記憶される第２の手段と、
前記ユーザインターフェース手段内のセレクタをコンテキスト特有の機能に、前記識別された動作状態に基づいてマップするように構成される、マップするための手段と、
前記コンテキスト特有の機能が前記識別された動作状態について使用可能である場合、選択するための手段の少なくとも１つに応答して、前記コンテキスト特有の機能を起動するように構成される、起動手段と
を含む処理手段と、
前記ビュー可能情報を更新して、前記現在の動作状態に関連付けられているコンテンツを示すように構成される、更新する手段と
を備えることを特徴とする装置。
【請求項３５】
前記コンテキスト特有の機能は、第１の動作状態についてのチャネル変更機能、第２の動作状態についてのビュー変更および選択機能、第３の動作状態についてのモード変更機能、および第４の動作状態についての拡張ビュー変更機能に対応することを特徴とする請求項３４に記載の装置。